(57)【要約】【課題】巻き取り軸が収納部の上方に位置する装置において、ロール紙の交換の操作性を向上させる。【解決手段】ロール紙を収納する収納部３には、ローラ６ａとローラ６ｂの間には間隙８が形成してあり、またローラ７ａとローラ７ｂの間にも間隙９が形成され、これらの間隙に入り込むように帯状のリフトフィルム１０が設けられている。収納部３にロール紙が収納された状態で、リフトフィルム１０の端部１２をひきあげることにより、ロール紙が上方に引き上げられる。【選択図】      図１
2005015183.tif 000002
【特許請求の範囲】
【請求項１】
記録紙をロール状に巻いたロール紙を収納部に収納し、ロール紙状態から引き出された記録紙に記録処理を行う記録装置において、
前記収納部の底部にロール紙の外周の一部に沿って配設した帯状部材を設けたことを特徴とする記録装置。
【請求項２】
前記帯状部材の一端部は装置筐体に係止され、他端部は摘み部を形成する請求項１記載の記録装置。
【請求項３】
記録紙をロール状に巻いたロール紙を収納部に収納し、ロール紙状態から引き出された記録紙に記録処理を行った後、該記録紙を巻き取る巻取部を保持する保持部材を有する記録装置において、
前記保持部材は、互いに対向する一対のアーム部を有し、少なくとも一方のアーム部が回動可能であることを特徴とする記録装置。
【請求項４】
記録紙をロール状に巻いたロール紙を収納部に収納し、ロール紙状態から引き出された記録紙に記録処理を行う記録装置において、
前記収納部の一部を構成するサイドフレームを前記収納部から離れる方向に開くようにしたことを特徴とする記録装置。
【請求項５】
記録装置の収納部に収納されたロール紙を除去する方法において、
ロール紙ニアエンド機構の一部をロール紙の芯部の孔に嵌入させ、
その後ロール紙ニアエンド機構を上方に引き上げることによりロール紙を除去することを特徴とするロール紙除去方法。
【発明の詳細な説明】
【０００１】
【発明の属する技術分野】
本発明は、記録紙をロール状に巻いたロール紙を収納部に収納し、ロール紙状態から引き出された記録紙に記録処理を行う記録装置に関し、またロール紙を収納部から除去する方法に関する。
【０００２】
【従来の技術】
従来、ロール紙を使用する記録装置としてのＰＯＳ端末装置では、ロール紙を収納する収納部が、記録後の記録紙を巻き取る巻取り部の下方に設けられているものがある。この種の装置として例えば特開平７−３３０１９５号公報に開示されるものがある。この公報に開示される装置では、ロール紙を収納する収納部と、ロール紙に印字を行う印字部とを有し、記録後の記録紙を巻き取るための巻き取り軸がロール紙収納部の上方に配置される構成を有している。巻き取り軸は、サイドフレームと仕切り板に支持される構成となっている。
【０００３】
【特許文献１】
特開平７−３３０１９５号公報
【０００４】
【発明が解決しようとする課題】
しかしながら上記従来の記録装置においては、巻き取り軸を支持するサイドフレームと仕切り板の間隔がロール紙の幅とほぼ同じに寸法設定されている。そしてこれらのサイドフレームと仕切り板はロール紙収納部の略上方に位置しているので、収納部に収納されたロール紙をオペレータが取り出す場合、これらのサイドフレームまたは仕切り板が邪魔になって取り出し難い。そのためロール紙の交換時の操作性が悪いという問題があった。
【０００５】
【課題を解決するための手段】
上記課題を解決するために本発明は、記録紙をロール状に巻いたロール紙を収納部に収納し、ロール紙状態から引き出された記録紙に記録処理を行う記録装置において、前記収納部の底部にロール紙の外周の一部に沿って配設した帯状部材を設けたことを特徴とするものである。
【０００６】
また他の発明は、記録紙をロール状に巻いたロール紙を収納部に収納し、ロール紙状態から引き出された記録紙に記録処理を行った後、該記録紙を巻き取る巻取部を保持する保持部材を有する記録装置において、前記保持部材は、互いに対向する一対のアーム部を有し、少なくとも一方のアーム部が回動可能であることを特徴とする。
【０００７】
さらに他の発明は、記録紙をロール状に巻いたロール紙を収納部に収納し、ロール紙状態から引き出された記録紙に記録処理を行う記録装置において、前記収納部の一部を構成するサイドフレームを前記収納部から離れる方向に開くようにしたことを特徴とするものである。
【０００８】
【発明の実施の形態】
以下、本発明の実施の形態を図面にしたがって説明する。図１は本発明の第１の実施の形態の記録装置の要部を示す斜視図、図２は第１の実施の形態のロール紙収納部を示す拡大図、図３は第２の実施の形態の記録装置を示す斜視図である。これらの図において、記録装置１はロール紙２の収納部３を有する。収納部３はフロントフレーム４とリアフレーム５の間に形成され、底部が全体としてほぼ湾曲形状となっている。収納部３の底部には２組のローラ対６、７が回転自在に設けられている。ロール紙２はこのローラ対６、７上に収納されることにより、回転自在となる。
【０００９】
図２に示すように、ローラ６ａとローラ６ｂの間には間隙８が形成してあり、またローラ７ａとローラ７ｂの間にも間隙９が形成され、これらの間隙に入り込むように帯状のリフトフィルム１０が設けられている。リフトフィルム１０が間隙８、９に入り込むことにより、収納部３にロール紙２が収納された場合に、リフトフィルム１０はロール紙２に接触することなく、ローラ６、７のみがロール紙２に接触するようになる。リフトフィルム１０は、プラスチックフィルムまたは布で形成され、一端部には断面コの字状の係止部１１が形成され、他端部には摘み部１２が形成されている。
【００１０】
リアフレーム５の内側には係止部材１３が複数個取付けられ、この係止部材１３によりリフトフィルム１０がリアフレーム５に移動可能に取付けられている。収納部３の略上部にはリワインダホルダ２０が配設されている。リワインダホルダ２０は、ロール紙２を巻き取るための巻き取り軸１８を支持するもので、図４に示すように、本体部１３と本体部１３の両端部から突出した支持部１４、１５とを有する。支持部１４、１５にはそれぞれ溝部１６，１７が形成されている。本体部１３はフロントフレーム４に固定される。リフトフィルム１０の一端部は、係止部１１がこの本体部１３の上部に係止することにより固定される。
【００１１】
次に第１の実施の形態の動作を説明する。図５、図６は第１の実施の形態の動作を示す側断面図である。まずロール紙２を収納部３に収納する場合を説明する。図５において、オペレータ１９は、リワインダホルダ２０の支持部１４、１５の溝部１６、１７に巻き取り軸１８が保持されている状態から、巻き取り軸１８を上方に除去する（ａ）。次にオペレータ１９は、ロール紙２を収納部３に落とし込むことにより収納させる（ｂ）。その際、リフトフィルム１０はロール紙２の外周の下部を取り巻くように配置されている。次に巻き取り軸１８を再びリワインダホルダ１４、１５の溝部１６、１７にセットする。この状態で印字処理が行われる。印字処理については本発明に直接関係は無いので説明を省略する。
【００１２】
次に、ロール紙エンドまたは他の何らかの理由で、収納部３に収納されているロール紙２を取り出す動作を説明する。図６において、まず巻き取り軸１８を上方へ取り除いた後、リフトフィルム１０の摘み部１２を摘んで上方に引き上げる（ｃ）。リフトフィルム１０の一端部は係止部１１によりリワインダホルダ２０に固定されているので、摘み部１２の引き上げによりロール紙２の下部に位置していた部分が引き上げられ、これによりロール紙２が引き上げられる。ロール紙２はリワインダホルダ２０の支持部１４、１５の間を通って装置外へ取り出される。
【００１３】
以上のように第１の実施の形態によれば、リフトフィルム１０を収納してあるロール紙の下部を取り巻くように配置したので、ロール紙２を除去する場合に、リフトフィルム１０を引き上げるだけで上方に除去できるので、リワインダホルダ２０の間から手を入れる必要がなく、簡単にロール紙の除去が可能となり、操作性の向上を図ることができる。なお上記の例では、リフトフィルム１０が一本のもので説明したが、収納してあるロール紙２の下部に位置する部分を２本または３本にして、摘み部で一箇所にまとめるように構成してもよい。この場合は、ロール紙を引き上げる際にロール紙を上方にまっすぐ引き上げることができ、リワインダホルダ２０の支持部１４、１５に当たる可能性はさらに少なくなる。なおこの場合は、リフトフィルムの材質としてプラスチックフィルムを用いることが望ましい。
【００１４】
次に第２の実施の形態を説明する。図７、図８は第２の実施の形態のリワインダホルダを示す斜視図、図９、図１０は第２の実施の形態のリワインダホルダを示す平面図、図１１は第２の実施の形態のリワインダホルダの要部を示す拡大図である。第２の実施の形態のリワインダホルダは、一方の支持部を開閉可能にしたものである。これらの図において、リワインダホルダ３０は本体部１３と支持部１４、１５とから構成され、本体部１３は一方の支持部１４とは一体に形成されている。他方の支持部１５は、本体部１３に対してシャフト３１により回転可能に取付けられている。
【００１５】
本体部１３には先端部がＶ字状に形成された板バネ３２が取付けられている。板バネ３２は図９に示す矢印方向に撓むようになっている。また支持部１５の回転支点部には、略コの字状のブラケット３３が取付けられており、ブラケット３３の一端部は当接部３４を形成し、他端部は板バネ３２の先端部３２ａに嵌め込まれるべく尖角部３５が形成されている。
【００１６】
図１０および図１１に示すように、支持部１５を開く方向に回転させようとすると、ブラケット３３の尖角部３５が板バネ３２の先端部３２ａに突き当たるが、板バネ３２が撓むことにより支持部１５は同方向に回転する。支持部１５は板バネ３２の復元力により図１１に示す矢印方向、即ち、閉じる方向に回転する。このときブラケット３３の当接部３４が本体部１３に当接し、回転を停止する。停止した位置は、支持部１５が本体部１３に対して直角の角度をなす位置である。
【００１７】
図１２はロール紙２が収納されている状態を示す。図１２において、ロール紙２を収納する場合、リワインダホルダ３０の支持部１５を点線で示す位置から実線で示す位置まで回転させた状態にしておいて、収納するための経路を広くしてロール紙２を収納する。またロール紙２を取り出す場合も、リワインダホルダ３０の支持部１５を点線で示す位置から実線で示す位置まで回転させ、この状態でロール紙２を取り出すようにする。ロール紙２を取り出した後、支持部１５から手を放すと、上述したように、支持部１５は板バネ３２の復元力により元の点線で示す位置に戻る。
【００１８】
以上のように第２の実施の形態においては、リワインダホルダ３０の支持部１５を回転可能にしたので、ロール紙２を収納又は取り出す際に支持部１５を開いておくことにより、ロール紙の交換または除去動作が容易になる。
【００１９】
次に第３の実施の形態を説明する。第３の実施の形態は、ロール紙の収納部の一部を構成するリアフレームを回動可能にしたものである。図１３、図１４は第３の実施の形態を示す斜視図、図１５は第３の実施の形態の要部を示す拡大図である。
【００２０】
図１３、図１４、図１５において、リアフレーム５は筐体底部４０に対して回動可能に設けられている。図１５に示すように、リアフレーム５の下部には支点部４１が形成され、ここに穴４２が形成されて、この穴４２にスタッド４３が嵌入されている。リアフレーム５はこのスタッド４３を中心に回動する。リアフレーム５の反対側も同様にスタッド４３が設けられている。
【００２１】
筐体底部４０の上面には切欠き穴４４が形成され、リアフレーム５には突部４５を有するラッチ部４６が形成されている。リアフレーム５が閉じたとき、即ち、垂直の状態になったとき、ラッチ部４６の突部４５が切欠き穴４４に入り込むことにより、リアフレーム５は位置固定される。
【００２２】
第３の実施の形態において、ロール紙２を収納する場合、まずリアフレーム５のラッチ部４６の突部４５を切欠き穴４４から外し、リアフレーム５を図１４に示すように回動させて後方に開く。この状態でロール紙２を収納する。収納した後はリアフレーム５を元の位置に戻して収納動作を終了する。
【００２３】
またロール紙２を取り出す場合も、まずリアフレーム５のラッチ部４６の突部４５を切欠き穴４４から外し、リアフレーム５を開いておいて、ロール紙２を収納部３から取り出すようにする。ロール紙２を取り出した後、リアフレーム５を元の位置に戻して除去動作を終了する。
【００２４】
以上のように第３の実施の形態によれば、ロール紙２の収納部３の一部を構成するリアフレーム５を後方に開くようにしたので、収納部３に対してオペレータの手が入り易くなり、ロール紙２の交換または除去動作が容易になる。なおリアフレーム５の開く角度については特に限定しないが、必ずしも９０度まで開くようにする必要はなく、ロール紙２の収納または取り出し動作のための充分なスペースが取れる角度であればよい。
【００２５】
次に第４の実施の形態を説明する。図１６乃至図１８は第４の実施の形態を示す斜視図である。これらの図において、ロール紙収納部３を構成する側壁としてロール紙ニアエンド検出機構５１とロール紙ガイド５２とが形成されている。そのため収納部３に収納されたロール紙２は幅方向にはガタが無い状態で収納されている。
【００２６】
図１９、図２０、図２１はロール紙ニアエンド検出機構を示す、それぞれ斜視図、側面図、斜視図である。これらの図において、ロール紙ニアエンド検出機構５１はフレームロア５４に対して上下動可能で、かつ前後方向（図２０に示す矢印ｄ、ｅ方向）に揺動可能に設けられている。フレームロア５４にはガイド５９、６０が形成され、ガイド５９、６０はロール紙ニアエンド検出機構５１の上下方向および前後方向の移動をガイドする。ロール紙ニアエンド検出機構５１の上下方向の移動はネジ５５とナット５６により固定されており、このネジ５５とナット５６を緩めることによりロール紙ニアエンド検出機構５１を手動で移動できる。図１９において、ネジ５５を矢印ｆ方向に回すと緩み、矢印ｇ方向に回ると締まる。ネジ５５を矢印ｆ方向に回してネジ５５を持ちながら上下動させることにより、ロール紙ニアエンド検出機構５１全体が矢印ｈ、ｉ方向に上下動する。
【００２７】
図２１に示すように、ロール紙ニアエンド検出機構５１には背後側には、ロール紙ニアエンド検出機構５１の矢印ｄ、ｅ方向への揺動を検出するセンサ５８が設けられてり、センサ５８の端部に設けられたボタン６２は内蔵するスプリングによりロール紙ニアエンド検出機構５１を図２１に示す矢印ｊ方向に常時押圧している。
【００２８】
またロール紙ニアエンド検出機構５１には突部５３が設けられており、図２０に示すように、ロール紙２が収納部３に収納されると、ロール紙２により突部５３が押されて、ロール紙ニアエンド検出機構５１が支点部５７を中心にして矢印ｄ方向に揺動する。センサ５８はこの揺動を検出し、図示しない制御部がロール紙２が収納されたことを認識する。
【００２９】
収納部３に収納されているロール紙２がニアエンドになると、ロール紙２の芯部２ａが下降して、芯部２ａの位置が突部５３に対向する位置になると、突部５３が図２０に示す矢印ｅ方向に移動し、芯部２ａの孔２ｂに入り込む。これをセンサ５８が検出する。これによりニアエンドを検出するようになっている。まだニアエンドにならないロール紙２を収納部３から取り除いた場合も同様に、突部５３は図２０に示す矢印ｅ方向に移動する。
【００３０】
上述のように、ロール紙ニアエンド検出機構５１は上下方向に移動可能になっており、オペレータがロール紙ニアエンド検出機構５１を上方に（図１８に示す矢印Ｊ方向に）引き上げることにより、突部５３が上方に引き上げられ、ニアエンドでなくまだ充分に残量があるロール紙２の芯部２ａの孔２ｂに入り込むことができる。突部５３がロール紙２の芯部２ａの孔２ｂに入った後もロール紙ニアエンド検出機構５１を引き上げることにより、ロール紙２が上方に引き上げられる。
【００３１】
ロール紙２を上方に引き上げる際、ロール紙ニアエンド検出機構５１の反対側にはロール紙ガイド５２が設けられているので、ロール紙２はこのガイド５２に摺動しながら上方に移動する。ロール紙２を上方に引き上げることにより、ロール紙２の交換または除去動作が容易になる。
【００３２】
以上のように第４の実施の形態では、既に装置に組み込まれているロール紙ニアエンド検出機構５１の突部５３を利用してロール紙２を引き上げるようにしたので、特に新たに部品を付加することなくロール紙２の引き上げができ、安価でかつ容易にロール紙２の交換が簡易になる。
【００３３】
【発明の効果】
以上詳細に説明したように本発明によれば、帯状部材を、収納してあるロール紙の下部を取り巻くように配置したので、ロール紙を除去する場合に、帯状部材を引き上げるだけで上方に除去でき、簡単にロール紙の除去が可能となり、操作性の向上を図ることができる。
【図面の簡単な説明】
【図１】第１の実施の形態の記録装置の要部を示す斜視図である。
【図２】第１の実施の形態のロール紙収納部を示す拡大図である。
【図３】第２の実施の形態の記録装置を示す斜視図である。
【図４】リワインダホルダを示す斜視図である。
【図５】第１の実施の形態の動作を示す側断面図である。
【図６】第１の実施の形態の動作を示す側断面図である。
【図７】第２の実施の形態のリワインダホルダを示す斜視図である。
【図８】第２の実施の形態のリワインダホルダを示す斜視図である。
【図９】第２の実施の形態のリワインダホルダを示す平面図である。
【図１０】第２の実施の形態のリワインダホルダを示す平面図である。
【図１１】第２の実施の形態のリワインダホルダの要部を示す拡大図である。
【図１２】第２の実施の形態の動作を示す斜視図である。
【図１３】第３の実施の形態を示す斜視図である。
【図１４】第３の実施の形態を示す斜視図である。
【図１５】第３の実施の形態の要部を示す拡大図である。
【図１６】第４の実施の形態を示す斜視図である。
【図１７】第４の実施の形態を示す斜視図である。
【図１８】第４の実施の形態を示す斜視図である。
【図１９】第４の実施の形態のロール紙ニアエンド検出機構を示す斜視図である。
【図２０】第４の実施の形態のロール紙ニアエンド検出機構を示す側面図である。
【図２１】第４の実施の形態のロール紙ニアエンド検出機構を示す斜視図である。
【符号の説明】
２  ロール紙
３  収納部
５  リアフレーム
１０  リフトフィルム
１８  巻き取り軸
２０、３０  リワインダホルダ
５１  ロール紙ニアエンド検出機構
５３  突部
【図１】
2005015183.tif 000003
【図２】
2005015183.tif 000004
【図３】
2005015183.tif 000005
【図４】
2005015183.tif 000006
【図５】
2005015183.tif 000007
【図６】
2005015183.tif 000008
【図７】
2005015183.tif 000009
【図８】
2005015183.tif 000010
【図９】
2005015183.tif 000011
【図１０】
2005015183.tif 000012
【図１１】
2005015183.tif 000013
【図１２】
2005015183.tif 000014
【図１３】
2005015183.tif 000015
【図１４】
2005015183.tif 000016
【図１５】
2005015183.tif 000017
【図１６】
2005015183.tif 000018
【図１７】
2005015183.tif 000019
【図１８】
2005015183.tif 000020
【図１９】
2005015183.tif 000021
【図２０】
2005015183.tif 000022
【図２１】
2005015183.tif 000023